(57)【特許請求の範囲】
【請求項１】
厚さと剛性を有する紙基材からなり、四角形の底面（１０）と、前記底面（１０）の相対する第１対の各辺に第１溝（５０ａ，５０ｂ）を介して連接する前記底面（１０）に対して対称な一対の第１側面（２０ａ，２０ｂ）と、前記底面（１０）の相対する第２対の各辺に第２溝（６０ａ，６０ｂ）を介して連接する前記底面（１０）に対して対称な一対の第２側面（３０ａ，３０ｂ）とを有し、前記第１側面（２０ａ，２０ｂ）は、前記底面（１０）の相対する第１対の各辺に前記第１溝（５０ａ，５０ｂ）を介して連接する第１外側壁（２１，２１）と該第１外側壁（２１，２１）に凹字状溝（５１ａ，５１ｂ）を介して連接する第１内側壁（２２，２２）とで構成され、また、前記第２側面（３０ａ，３０ｂ）は、前記底面（１０）の相対する第２対の各辺に前記第２溝（６０ａ，６０ｂ）を介して連接する第２外側壁（３１，３１）と該第２外側壁（３１，３１）に凹字状溝（６１ａ，６１ｂ）を介して連接する第２内側壁（３２，３２）とからなると共に、前記第２外側壁（３１，３１）及び前記第２内側壁（３２，３２）のそれぞれの両端部は、前記第１溝（５０ａ，５０ｂ）に平行に延在する第３溝（５３ａ，５３ａ；５３ｂ，５３ｂ）で区設され、前記第２外側壁（３１，３１）及び前記第２内側壁（３２，３２）は前記凹字状溝（６１ａ，６１ｂ）を用いて折り重ねられると共に前記第２溝（６０ａ，６０ｂ）を用いて底面（１０）に対して直角に折り曲げられ、同時に折り重ねられる前記第２外側壁（３１，３１）及び前記第２内側壁（３２，３２）のそれぞれの両端部が前記第３溝（５３ａ，５３ａ；５３ｂ，５３ｂ）を用いて内向き略直角に折り曲げられると共に、前記凹字状溝（５１ａ，５１ｂ）を用いて内側に１８０度折り曲げられる前記第１外側壁（２１，２１）と前記第１内側壁（２２，２２）との間に挟み込まれ、さらに前記第１側面（２０ａ，２０ｂ）の各第１内側壁（２２，２２）と前記第２側面（３０ａ，３０ｂ）の各第２内側壁（３２，３２）とに互に係合する係止手段（７０）を備えて組み立てることができる平面状形態を有することを特徴とする組立箱。
【請求項２】
前記第２側面（３０ａ，３０ｂ）が前記外側壁（３１，３１）上に前記内側壁（３２，３２）を前記凹字状溝（６１ａ，６１ｂ）で折り重ねると共に、折り重ねられた前記第２外側壁（３１，３１）と前記第２内側壁（３２，３２）との対向する面が接着されてなる平面状組立形態を有することを特徴とする請求項１記載の組立箱。
【発明の詳細な説明】
【０００１】
【発明の属する技術分野】
本発明は、身箱または蓋箱などを折曲げ等の簡単な作業で組み立てることができる組立箱に関し、さらに詳しくは、厚さと剛性のある紙基材からなる組立箱に関するものである。
【０００２】
【従来の技術】
従来、高級な贈答箱としては、美粧性に優れ、強度的にも堅牢であることなどから、貼箱、金属缶、プラスチックケースなどが一般的に用いられている。しかし、貼箱は、製造時に手加工が多く、作業が煩雑であり、生産性が低く製造コストの高いものとなると共に、製函納入のために物流費用や保管費用についても高いものとなっていた。また、金属缶は、製造時は機械加工であり生産性は高い反面、高価な金型が必要であると共に、貼箱同様に製函納入のために物流費用や保管費用が高いものとなっていた。また、プラスチックケースは、金属缶と同じ問題がある上に、衝撃等による割れ防止のための外装が必要であり、これについてもコストの高いものとなっていた。
【０００３】
【発明が解決しようとする課題】
そこで本発明は、かかる問題点に鑑みてなされたものであり、美粧性に優れ、強度的にも堅牢であり、製造コストや物流費用、保管費用が安価であると共に、容易に箱状に組み立てることができる組立箱を提供することにある。
【０００４】
【課題を解決するための手段】
本発明者は、上記目的を達成するために、請求項１に記載の発明の組立箱は、厚さと剛性を有する紙基材からなり、四角形の底面（１０）と、前記底面（１０）の相対する第１対の各辺に第１溝（５０ａ，５０ｂ）を介して連接する前記底面（１０）に対して対称な一対の第１側面（２０ａ，２０ｂ）と、前記底面（１０）の相対する第２対の各辺に第２溝（６０ａ，６０ｂ）を介して連接する前記底面（１０）に対して対称な一対の第２側面（３０ａ，３０ｂ）とを有し、前記第１側面（２０ａ，２０ｂ）は、前記底面（１０）の相対する第１対の各辺に前記第１溝（５０ａ，５０ｂ）を介して連接する第１外側壁（２１，２１）と該第１外側壁（２１，２１）に凹字状溝（５１ａ，５１ｂ）を介して連接する第１内側壁（２２，２２）とで構成され、また、前記第２側面（３０ａ，３０ｂ）は、前記底面（１０）の相対する第２対の各辺に前記第２溝（６０ａ，６０ｂ）を介して連接する第２外側壁（３１，３１）と該第２外側壁（３１，３１）に凹字状溝（６１ａ，６１ｂ）を介して連接する第２内側壁（３２，３２）とからなると共に、前記第２外側壁（３１，３１）及び前記第２内側壁（３２，３２）のそれぞれの両端部は、前記第１溝（５０ａ，５０ｂ）に平行に延在する第３溝（５３ａ，５３ａ；５３ｂ，５３ｂ）で区設され、前記第２外側壁（３１，３１）及び前記第２内側壁（３２，３２）は前記凹字状溝（６１ａ，６１ｂ）を用いて折り重ねられると共に前記第２溝（６０ａ，６０ｂ）を用いて底面（１０）に対して直角に折り曲げられ、同時に折り重ねられる前記第２外側壁（３１，３１）及び前記第２内側壁（３２，３２）のそれぞれの両端部が前記第３溝（５３ａ，５３ａ；５３ｂ，５３ｂ）を用いて内向き略直角に折り曲げられると共に、前記凹字状溝（５１ａ，５１ｂ）を用いて内側に１８０度折り曲げられる前記第１外側壁（２１，２１）と前記第１内側壁（２２，２２）との間に挟み込まれ、さらに前記第１側面（２０ａ，２０ｂ）の各第１内側壁（２２，２２）と前記第２側面（３０ａ，３０ｂ）の各第２内側壁（３２，３２）とに互に係合する係止手段（７０）を備えて組み立てることができる平面状形態を有することを特徴とするものである。このように構成することにより、折り曲げて組み立てる共に係止手段で係止するだけで容易に箱状に組み立てることができる。また、凹字状溝を設けた部分で外側壁上に内側壁を１８０度折り曲げて重ねることができるために、組立箱としたときに４つの側壁を２重壁からなる堅牢な側壁とすることができる。
【０００５】
また、請求項２に記載の発明は、請求項１記載の組立箱において、前記第２側面３０ａ，３０ｂが前記外側壁３１，３１上に前記内側壁３２，３２を前記凹字状溝６１ａ，６１ｂで折り重ねると共に、折り重ねられた前記第２外側壁３１，３１と前記第２内側壁３２，３２との対向する面が接着されてなる平面状組立形態を有することを特徴とするものである。このように構成することにより、一層箱状に組み立てることが容易にできるようになる。
【０００６】
【発明の実施の形態】
上記の本発明について、具体的な実施形態を図面等を用いて以下に更に詳しく説明する。
まず、本発明の組立箱に用いる厚さと剛性を有する紙基材としては、チップボード、黄板紙、コートボール等の単体、あるいは、これらの積層体を用いることができ、厚さとしては１〜３mmが適当である。また、必要に応じてプラスチックシート、織布、不織布等を貼合したものであってもよいし、また、必要に応じて印刷等の装飾手段を施してもよい。
【０００７】
図１は本発明にかかる組立箱の第１の実施形態を示す平面状形態図、図２は図１の平面状組立形態図、図３は本発明にかかる第１の実施形態の組立箱の斜視図、図４は本発明にかかる組立箱の第２の実施形態を示す平面状形態図、図５は本発明にかかる第２の実施形態の組立箱の要部斜視図であり、図中の１０は底面、２０ａ，２０ｂは第１側面、２１，３１はそれぞれ第１外側壁、第２外側壁、２２，３２はそれぞれ第１内側壁、第２内側壁、２３，３３はそれぞれ第１台形状係止フラップ、第２台形状係止フラップ、２５は切欠部、３０ａ，３０ｂは第２側面、３５は突出片、５０ａ，５０ｂは第１溝、５１ａ，５１ｂ，６１ａ，６１ｂは凹字状溝、５２ａ，５２ｂ，６２ａ，６２ｂはＶ字状溝、５３ａ，５３ｂは第３溝、６０ａ，６０ｂは第２溝、６５は第４溝、７０は係止手段、８０は側辺をそれぞれ示す。
【０００８】
まず、図１は本発明にかかる組立箱の第１の実施形態を示す平面状形態図であって、この組立箱は、厚さと剛性を有する紙基材からなり、長方形状の底面10とその周囲に４つの側面20ａ，20ｂ；30ａ，30ｂとを有しており、図１に示されるように長手軸（縦軸）および短軸（横軸）のいずれに関しても対称形となっている。ここで、相対的に長寸の相対する一対の側面を第１側面20ａ，20ｂと称し、一方、相対的に短寸の相対する一対の側面を第２側面30ａ，30ｂと称することにする。
【０００９】
第１および第２の各側面２０ａ，２０ｂ；３０ａ，３０ｂは共に、底面１０の相対する一対の各辺に第１溝５０ａ，５０ｂおよび第２溝６０ａ，６０ｂを介して連接する第１外側壁２１，２１；第２外側壁３１，３１に凹字状溝５１ａ，５１ｂ；６１ａ，６１ｂを介してそれぞれ連接する第１内側壁２２，２２；第２内側壁３２，３２とで構成される。
【００１０】
まず、第１側面２０ａ，２０ｂについて説明すれば、その各第１内側壁２２，２２、つまり組立状態において箱の内側に位置せしめられる第１内側壁２２，２２は第１外側壁２１，２１と高さが略同じかあるいは小さく構成されている。また、各第１内側壁２２，２２の両側辺８０の所定位置に係止手段７０としての第４溝６５を介して突出片３５を有している。また、第２側面３０ａ，３０ｂの各第２内側壁３２，３２についても第１側面２０ａ，２０ｂの第１内側壁２２，２２と同様であって、第２外側壁３１，３１と高さが略同じかあるいは小さく構成されると共に、各第２内側壁３２，３２の所定位置に係止手段として、上記突出片３５と係合する切欠部２５を有している。
【００１１】
第１の実施形態の組立箱の平面状形態構成は上記の通りであるが、これを使用時に箱状に組み立てる場合について説明する。まず図１に示した厚さと剛性を有する紙基材からなる平面状形態のものは、溝加工と抜き加工を施すことにより得ることができる。このものを、第２側面３０ａ，３０ｂを構成する各第２内側壁３２，３２をそれぞれと凹字状溝６１ａ，６１ｂを介して連接する各第２外側壁３１，３１上に凹字状溝６１ａ，６１ｂで折り重ねる。折り重ねられた各第２内側壁３２，３２と各第２外側壁３１，３１の対向する面間は接着手段により接着されて、第２側面３０ａ，３０ｂは図２に示すようにそれぞれ２重側壁に形成される。顧客先に納入する形態としては、図１に示す平面状形態でもよいが、顧客先での使用時の箱状への組み立てを一層容易にする意味から、図２に示す平面状組立形態で納入するのがより好ましい。図１、図２のいずれの形態で納入するにしても貼箱、金属缶、プラスチックケースのように嵩張ることがないために、物流費用や保管費用が安価である。
【００１２】
次に、この２重側壁は、それぞれ第２溝６０ａ，６０ｂで底面１０に対して内側に直角に折り曲げられると共に、この２重側壁はその両端部を第３溝５３ａ，５３ａ；５３ｂ，５３ｂで内側に直角に折り曲げる。その後に、第１側面２０ａ，２０ｂを第１溝５０ａ，５０ｂで底面１０に対して内側に直角に折り曲げると共に、第１側面２０ａ，２０ｂを構成する第１内側壁２２，２２を凹字状溝５１ａ，５１ｂで前記第３溝５３ａ，５３ａ；５３ｂ，５３ｂで内側に直角に折り曲げた前記２重側壁の両端部を第１内側壁２２，２２と第１外側壁２１，２１間に挟み込むように内側に１８０度折り曲げ、最終的に第１内側壁２２，２２の両側辺８０に設けられた突出片３５を第２内側壁３２，３２に設けられた切欠部２５に係合せしめることにより、図３に示す本発明の組立箱となる。このように、第１内側壁２２，２２の両側辺８０に設けられた突出片３５を第２内側壁３２，３２に設けられた切欠部２５に係合せしめた状態（図３に示す状態）においては、第１内側壁２２，２２は容易に外側へは開かない。また、本発明の組立箱は、４つの側壁がすべて２重壁からなるために、極めて堅牢な側壁を有する組立箱とすることができる。
【００１３】
このように本発明の組立箱は、内側壁と外側壁との境界に凹字状溝を設けることにより、内側壁と外側壁を折り重ねる（１８０度折り曲げる）ことを可能にして２重壁からなる堅牢な側壁を形成した点に特徴を有する組立箱であり、このように構成することにより、厚さと剛性を有する紙基材についても組立箱に適用することができるようになり、貼箱、金属缶、プラスチックケースなどの従来の高級贈答箱と比べても製造コストや物流費用、保管費用が安価であると共に、美粧性や強度面においては遜色のない組立箱とすることができる。また、本発明の組立箱は、側壁が２重壁からなることにより、表出する面は全て同一面となり、組立箱に用いる紙基材の表側と裏側の材料に格差をつけることができ、たとえば、表側には絵柄印刷を施したプラスチックシートを用い、また、裏側には黄板紙を用い、これらを貼合した紙基材を用いて組立箱を形成することにより、美粧性に優れると共に、強度面においても堅牢な組立箱とすることができる。
【００１４】
なお、第１の実施形態の組立箱においては、第１溝50ａ，50ｂおよび第３溝53ａ，53ａ；53ｂ，53ｂは凹字状溝、第２溝60ａ，60ｂおよび第４溝65はＶ字状溝としたが、これらの溝は９０度折り曲げのための溝であり、凹字状溝あるいはＶ字状溝のいずれの形状の溝であっても構わない。
【００１５】
図４は本発明にかかる組立箱の第２の実施形態を示す平面状形態図、図５は本発明にかかる第２の実施形態の組立箱の要部斜視図であって、本発明の第１の実施形態の組立箱とは係止手段70が異なる以外は同じであり、実質的に本発明の第１の実施形態のものと同一の部分については同一符号を付して、係止手段70のみ説明する。
【００１６】
図１に示す第１の実施形態のものは、係止手段７０が第１側面２０ａ，２０ｂを形成する第１内側壁２２，２２の両側辺８０の所定位置に第４溝６５を介して突出片３５を設けると共に、第２側面３０ａ，３０ｂを形成する第２内側壁３２，３２の所定位置に上記突出片３５と係合する切欠部２５を設けて、箱状に組み立てたときに、前記突出片３５を前記切欠部２５に係合せしめるようにしたものであるが、図４に示す第２の実施形態のものは、第１側面２０ａ，２０ｂを形成する第１内側壁２２，２２の第１溝５０ａ，５０ｂと平行な自由な各辺に第５溝、たとえば、Ｖ字状溝６２ａ，６２ｂを介して前記第１台形状係止フラップ２３，２３の斜辺と係合するように構成された斜辺を有する第２台形状係止フラップ３３，３３が連接し、図５に示すように箱状に組み立てたときに、前記第１台形状係止フラップ２３，２３と第２台形状係止フラップ３３，３３とが互いの斜辺で係合せしめるようにしたものである。
【００１７】
なお、第１側面２０ａ，２０ｂを形成する第１内側壁２２，２２と第２側面３０ａ，３０ｂを形成する第２内側壁３２，３２とに互に係合するように構成された係止手段は、すべて本発明の係止手段に含まれるものである。
【００１８】
【発明の効果】
本発明の組立箱は、今まで縷々説明したように、内側壁と外側壁との境界に凹字状溝を設けることにより、厚さと剛性を有する紙基材についても組立箱に適用することができるようになり、貼箱、金属缶、プラスチックケースなどの従来の高級贈答箱と比べても製造コストや物流費用、保管費用が安価であると共に、美粧性や強度面においては遜色のない組立箱を提供することができる。
【図面の簡単な説明】
【図１】本発明にかかる組立箱の第１の実施形態を示す平面状形態図である。
【図２】図１の平面状組立形態図である。
【図３】本発明にかかる第１の実施形態の組立箱の斜視図である。
【図４】本発明にかかる組立箱の第２の実施形態を示す平面状形態図である。
【図５】本発明にかかる第２の実施形態の組立箱の要部斜視図である。
【符号の説明】
10                            底面
20ａ，20ｂ                    第１側面
21，31                        外側壁
22，32                        内側壁
23，33                        台形状係止フラップ
25                            切欠部
30ａ，30ｂ                    第２側面
35                            突出片
50ａ，50ｂ                    第１溝
51ａ，51ｂ，61ａ，61ｂ        凹字状溝
52ａ，52ｂ，62ａ，62ｂ        Ｖ字状溝
53ａ，53ｂ                    第３溝
60ａ，60ｂ                    第２溝
65                            第４溝
70                            係止手段
80                            側辺
【図１】
0004319727.tif 000002
【図２】
0004319727.tif 000003
【図３】
0004319727.tif 000004
【図４】
0004319727.tif 000005
【図５】
0004319727.tif 000006